(57)【要約】【課題】高振動環境下にあっても接続信頼性を確保することが可能なコネクタを提供する。【解決手段】コネクタは、端子金具１３が収容され、電線１４が引き出される電線引出面４３を有するハウジング１０と、ハウジング１０に装着され、電線１４を支持する支持面６３を有するストレインリリーフ部材１１と、支持面６３を覆うようにストレインリリーフ部材１１に設置され、支持面６３との間に電線１４を挟み込む押圧面７３を有するカバー部材１２と、を備える。ハウジング１０は、電線引出面４３側に開口し、電線１４の長さ方向に凹む受部４５を有し、ストレインリリーフ部材１１は、受部４５に、電線１４の長さ方向と交差する方向に変位するのを規制された状態で挿入される突部５８を有している。【選択図】図４
2019008894.tif 000002
【特許請求の範囲】
【請求項１】
電線に接続される端子金具と、
前記端子金具が収容され、前記電線が引き出される電線引出面を有するハウジングと、
前記ハウジングに装着され、前記電線を支持する支持面を有するストレインリリーフ部材と、
前記支持面を覆うように前記ストレインリリーフ部材に設置され、前記支持面との間に前記電線を挟み込む押圧面を有するカバー部材と、を備え、
前記ハウジングは、前記電線引出面側に開口し、前記電線の長さ方向に凹む受部を有し、
前記ストレインリリーフ部材は、前記受部に、前記電線の長さ方向と交差する方向に変位するのを規制された状態で挿入される突部を有していることを特徴とするコネクタ。
【請求項２】
前記ハウジングに、前記電線と前記ハウジングとの間を液密にシールするゴム栓が収容され、前記ストレインリリーフ部材は、前記ゴム栓に対向して配置される対向面を有することを特徴とする請求項１に記載のコネクタ。
【請求項３】
前記ストレインリリーフ部材は、前記電線の長さ方向に沿ったスライド受部を有し、前記カバー部材は、組み付け過程で前記スライド受部を摺動するスライド部を有することを特徴とする請求項１又は請求項２に記載のコネクタ。
【請求項４】
前記ハウジングは、前記電線が長さ方向に沿って収容されるキャビティを有し、前記ストレインリリーフ部材は、前記キャビティの内側に進入するタワー部を有し、前記タワー部に、前記支持面の一部が形成され、この支持面の一部に、前記キャビティの対向壁面に向けて突出し、前記対向壁面との間に前記電線を屈曲状態に保持する電線押さえ部が形成されていることを特徴とする請求項１ないし請求項３のいずれか１項記載のコネクタ。
【発明の詳細な説明】
【技術分野】
【０００１】
本発明は、コネクタに関する。
【背景技術】
【０００２】
特許文献１に開示のコネクタは、電線に接続される端子金具と、端子金具が収容され、後方に電線が引き出されるハウジングと、ハウジングに装着される第１カバー及び第２カバーからなるストレインリリーフとを備えている。電線は、第１カバーと第２カバーとの間に挟まれて屈曲状態に保持される。これにより、ストレインリリーフの後方に延出する電線が振動しても、その振動の影響が端子金具に及ぶのを防止することができ、端子金具と相手端子金具との接続状態を良好に維持することが可能となっている。また、第１カバーは、前端部にリブを有し、リブがハウジングの外面に当接することにより、ハウジングとの間のガタ付きが抑えられるようになっている。
【先行技術文献】
【特許文献】
【０００３】
【特許文献１】特開２０１７−７３３０１号公報
【発明の概要】
【発明が解決しようとする課題】
【０００４】
ところで、電線が激しく振動したときに、リブとハウジングとの当接状態が解除され、ストレインリリーフがハウジングから外れるおそれがある。仮に、ストレインリリーフがハウジングから外れると、電線の振動を抑制することができず、端子金具も振動して、接続信頼性を確保することができないという問題がある。
【０００５】
本発明は上記のような事情に基づいて完成されたものであって、高振動環境下にあっても接続信頼性を確保することが可能なコネクタを提供することを目的とする。
【課題を解決するための手段】
【０００６】
本発明のコネクタは、電線に接続される端子金具と、前記端子金具が収容され、前記電線が引き出される電線引出面を有するハウジングと、前記ハウジングに装着され、前記電線を支持する支持面を有するストレインリリーフ部材と、前記支持面を覆うように前記ストレインリリーフ部材に設置され、前記支持面との間に前記電線を挟み込む押圧面を有するカバー部材と、を備え、前記ハウジングは、前記電線引出面側に開口し、前記電線の長さ方向に凹む受部を有し、前記ストレインリリーフ部材は、前記受部に、前記電線の長さ方向と交差する方向に変位するのを規制された状態で挿入される突部を有しているところに特徴を有する。    
【発明の効果】
【０００７】
電線は、ストレインリリーフ部材とカバー部材との間に挟み込まれ、振動を抑えられた状態に保持される。ここで、ストレインリリーフ部材の突部がハウジングの受部に電線の長さ方向と交差する方向に変位するのを規制された状態で挿入されるため、ストレインリリーフ部材とハウジングとの一体性が高められる。したがって、仮に、電線が激しく振動しても、ストレインリリーフ部材がハウジングから外れるのが信頼性良く防止される。その結果、ストレインリリーフ部材による電線の振動抑制機能が効果的に発揮され、接続信頼性を確保することができる。
【図面の簡単な説明】
【０００８】
【図１】本発明の実施例１において、コネクタの斜視図である。
【図２】コネクタの側面視方向の断面図である。
【図３】コネクタの側面図である。
【図４】図３のＸ−Ｘ線断面図である。
【図５】コネクタの背面図である。
【図６】ハウジングの正面図である。
【図７】ハウジングの背面図である。
【図８】ストレインリリーフ部材の斜視図である。
【図９】ストレインリリーフ部材の平面図である。
【図１０】ストレインリリーフ部材の正面図である。
【図１１】カバー部材の斜視図である。
【図１２】カバー部材の正面図である。
【図１３】本発明の実施例２において、コネクタの側面視方向の断面図である。
【図１４】実施例２において、ハウジングの背面図である。
【図１５】本発明の実施例３において、カバー部材が開状態にあるときのコネクタの斜視図である。
【図１６】実施例３において、カバー部材が開状態にあるときのコネクタの側面視方向の断面図である。
【図１７】実施例３において、カバー部材が開状態にあるときのコネクタの背面視方向の断面図である。
【図１８】実施例３において、開状態にあるカバー部材の斜視図である。
【図１９】実施例３において、閉状態にあるカバー部材の斜視図である。
【図２０】実施例４において、カバー部材が開状態にあるときのコネクタの側面視方向の断面図である。
【図２１】実施例４において、開状態にあるカバー部材の斜視図である。
【図２２】実施例４において、閉状態にあるカバー部材の斜視図である。
【図２３】実施例５において、コネクタの斜視図である。
【発明を実施するための形態】
【０００９】
本発明の好ましい実施形態を以下に示す。  
前記ハウジングに、前記電線と前記ハウジングとの間を液密にシールするゴム栓が収容され、前記ストレインリリーフ部材は、前記ゴム栓に対向して配置される対向面を有するとよい。ストレインリリーフ部材の対向面によって、ゴム栓に塵埃等の異物が付着するのを防止することができる。また、対向面によってゴム栓のハウジングからの抜け出しを防止することもできる。特に、ゴム栓の抜け出しを防止する専用の部材を設ける必要がないため、全体の構成を簡単にすることができる。
【００１０】
前記ストレインリリーフ部材は、前記電線の長さ方向に沿ったスライド受部を有し、前記カバー部材は、組み付け過程で前記スライド受部を摺動するスライド部を有するとよい。スライド部がスライド受部に対し電線の長さ方向に沿って当接することにより、ストレインリリーフ部材とカバー部材との一体性が高められ、ストレインリリーフ部材の支持面とカバー部材の押圧面との間に電線がより信頼性良く保持される。
【００１１】
前記ハウジングは、前記電線が長さ方向に沿って収容されるキャビティを有し、前記ストレインリリーフ部材は、前記キャビティの内側に進入するタワー部を有し、前記タワー部に、前記支持面の一部が形成され、この支持面の一部に、前記キャビティの対向壁面に向けて突出し、前記対向壁面との間に前記電線を屈曲状態に保持する電線押さえ部が形成されているとよい。電線押さえ部がキャビティ内に配置されることにより、電線の振動が端子金具に近い位置で信頼性良く抑制される。
【００１２】
＜実施例１＞
以下、本発明の実施例１を図１〜図１２に基づいて説明する。実施例１のコネクタは、ハウジング１０と、ストレインリリーフ部材１１と、カバー部材１２と、端子金具１３とを備えている。ハウジング１０は、図示しない相手ハウジングに嵌合可能とされている。相手ハウジングは、自動車のエンジンに直結され、エンジンからの振動を受け得る環境下で設置される。なお、以下の説明において、前後方向は、端子金具１３に接続される電線１４の長さ方向と同義であって、ハウジング１０が嵌合開始時に相手ハウジングと対向する面側を前側とする。上下方向及び左右方向は、高さ方向及び幅方向と同義であって、図９を除く各図を基準とする。
【００１３】
ハウジング１０は合成樹脂製であって、図２、図６及び図７に示すように、ブロック状の端子収容部１５と、端子収容部１５の周囲を取り囲む筒状の嵌合筒部１６と、嵌合筒部１６と端子収容部１５とをつなぐ径方向に沿った連結部１７とを有している。端子収容部１５と嵌合筒部１６との間で、且つ連結部１７の前方の空間は、相手ハウジングが嵌合される嵌合空間１８とされている。
【００１４】
端子収容部１５は、前後方向に貫通する複数（図示する場合は左右２つ）のキャビティ１９を有している。各キャビティ１９の内壁には、撓み可能なランス２１が突出して設けられている。ランス２１は、前方に片持ち状に突出する形状をなしている。各キャビティ１９には、後方から端子金具１３が挿入される。
【００１５】
端子金具１３は、導電性の金属板を曲げ加工等して成形される。図２に示すように、端子金具１３は、同軸端子であって、内導体端子２２と外導体端子２３とを有し、それぞれ電線１４の端部に接続される。内導体端子２２は、筒状部分の内側に、図示しない相手端子金具に接触可能な弾性接続部２４を有している。また、端子金具１３は、係止受部２５を有し、係止受部２５がランス２１の先端側の突起部分によって弾性的に係止されることで、キャビティ１９に抜け止めされる。
【００１６】
電線１４は、同軸ケーブルであって、芯線２６と、芯線２６の周囲を被覆する絶縁層２７と、絶縁層２７の周囲を被覆する編組線等のシールド層２８と、シールド層２８の周囲を被覆する外被２９とを有している。
【００１７】
電線１４の端部にはゴム栓３１が外嵌される。ゴム栓３１は、シリコンゴム等のゴム製であって円筒状をなし、対応する端子金具１３の後端部に圧着されて保持される。ゴム栓３１は、キャビティ１９内に収容され、電線１４とハウジング１０との間を液密にシールする役割をはたす。
【００１８】
端子収容部１５には、前方からフロントリテーナ３２が装着される。フロントリテーナ３２は合成樹脂製であってキャップ状をなし、ランス２１の撓み空間に進入してランス２１の撓み動作を規制する規制片３３を有している。なお、フロントリテーナ３２は、端子収容部１５の前部を覆った状態で、嵌合筒部１６よりも前方に露出して配置される。
【００１９】
端子収容部１５の外面には、連結部１７の直前方にシールリング３４が嵌着されている。両ハウジングが正規嵌合されると、相手ハウジングと端子収容部１５との間にシールリング３４が弾性的に挟持され、両ハウジング間が液密にシールされるようになっている。
【００２０】
ハウジング１０には、ロックアーム３５が設けられている。ロックアーム３５は、全体として前後方向に延出するアーム状をなし、端子収容部１５の上面から突出する部位を支点として上下方向に傾動可能とされている。ロックアーム３５が相手ハウジングを弾性的に係止することにより、両ハウジングが嵌合状態に保持されるようになっている。ロックアーム３５には、検知部材３６が前後方向に移動可能に設置されている。検知部材３６は、合成樹脂製であって板状をなし、嵌合後の移動操作の可否によって両ハウジングの嵌合状態を検知する役割をはたす。
【００２１】
嵌合筒部１６の上部は、ロックアーム３５の左右両側に配置される一対の側壁３７と、ロックアーム３５の前端部の上方に配置され、両側壁３７の上端前部間に架設される架橋壁３８とを有し、断面門型に形成されている。ロックアーム３５は、両側壁３７及び架橋壁３８によって外部異物から保護され、不用意にロック状態が解除されないようにされている。
【００２２】
嵌合筒部１６の下部は、断面略弧状をなし、端子収容部１５の中間部の下面と略平行に配置される。図２に示すように、嵌合筒部１６の下部後端は、連結部１７に連なり、連結部１７を介することにより、端子収容部１５の後部（後述する両筒状部３９）の下面との間に段差を形成している。
【００２３】
端子収容部１５の後部には、図７に示すように、略円筒状の筒状部３９が左右で対をなして設けられている。両筒状部３９の上面には、左右一対の突起４１が設けられている。
【００２４】
両筒状部３９は、幅方向中央部に共有の隔壁４２を有し、それぞれの内部に断面略円形（詳細には断面縦長円形）のキャビティ１９を有している。両筒状部３９の後面は、両キャビティ１９から電線１４が引き出される電線引出面４３とされている。電線引出面４３は、上下方向に沿って配置され、繋ぎ部４４を介して嵌合筒部１６の上部の後面に段差なく連続している。繋ぎ部４４は、ハウジング１０の後部の左右両側において筒状部３９と側壁３７との間に左右方向に沿って架設され、前後方向に所定の奥行を有して、前端が連結部１７に連結されている。
【００２５】
ハウジング１０の後部の左右両側には、繋ぎ部４４、側壁３７及び筒状部３９の間に、一対の受部４５を有している。受部４５は、前後方向に延びて電線引出面４３に開口し、且つ上方に開放されており、前端が連結部１７により閉塞されている。
【００２６】
端子収容部１５の後部の下面には、両筒状部３９の外周の略下半部に沿った連続湾曲状の受面部４６が設けられている。受面部４６は、前後方向に沿って配置され、図２及び図４に示すように、ストレインリリーフ部材１１の後述する突片部５１によって被覆される。端子収容部１５の後部の下面後端には、受面部４６に対して略直角に突出するロック部４７が設けられている。ロック部４７は、ハウジング１０の左右中央部に左右方向にリブ状に形成されている。
【００２７】
ストレインリリーフ部材１１は合成樹脂製であって、図８〜図１０に示すように、前後方向に延出する基部４８と、基部４８の後部上方に連なる本体部４９とを有している。基部４８は、上部に板片状の突片部５１を有し、下部に扁平状のブロック部５２を有している。
【００２８】
突片部５１の前部は、本体部４９の前方に突出して配置され、ハウジング１０の受面部４６と対応するように、左右方向に連続湾曲状に連なる形態とされている。図８に示すように、突片部５１の前部には、左右両側の上端に、側面視弧状の詰め部５３が対をなして突設されている。
【００２９】
突片部５１の前部の上面には、断面略矩形の凹所５４が開口して設けられている。凹所５４は、ブロック部５２に及ぶ深さを有し、ブロック部５２の前後両端に開口している。凹所５４の底面には、爪状の被ロック部５５が突出して設けられている。図２に示すように、被ロック部５５の後面は、左右方向及び上下方向に沿って配置され、ロック部４７に係止可能とされている。
【００３０】
図８及び図９に示すように、本体部４９は、平面視略矩形状をなし、左右一対の支持溝５６を有している。両支持溝５６は、本体部４９を前後方向に貫通するとともに、本体部４９の上面に開口する形態とされている。本体部４９には、両支持溝５６と対応する位置に、左右一対のタワー部５７が前方に突出して設けられ、さらに両タワー部５７の左右両側に、一対の突部５８が前方に突出して設けられている。
【００３１】
タワー部５７は、外周が断面略半円弧状をなし、図２に示すように、キャビティ１９の略下半部に適合して挿入可能とされている。タワー部５７の前面は、上下方向に沿って配置され、キャビティ１９内でゴム栓３１に後方から対向して配置される対向面５９とされる。タワー部５７の対向面５９によってゴム栓３１に塵埃等の異物が付着するのを防止することが可能となっている。
【００３２】
タワー部５７の上面には、支持溝５６の底面に連続する湾曲状の電線押さえ部６１が設けられている。電線押さえ部６１は、断面山型をなし、凸曲面状の頂部６２を有し、前面及び後面が頂部６２から下り勾配で傾斜する形態になっている。なお、支持溝５６の底面とタワー部５７の上面（電線押さえ部６１を含む）とは、電線１４を支持する支持面６３として構成される。図８〜図１０に示すように、タワー部５７には、電線押さえ部６１の左右両側に一対の側板６４が起立して設けられている。
【００３３】
突部５８は、本体部４９の側方にいったん張り出したあと前方へ真っ直ぐ突出する角柱状の形態になっている。突部５８の前端は、タワー部５７の前端よりも少し前方で、且つ突片部５１の前端よりも後方に大きく控えた位置に配置されている。突部５８は、受部４５に適合する断面略矩形状をなし、図８に示すように、前端部の下面に、側面視弧状の押当部６５が突設されている。押当部６５は、左右方向に関して詰め部５３と部分的に重なる位置に配置されている。
【００３４】
本体部４９の左右両側面には、爪状のカバーロック部６６が対をなして突設されている。また、本体部４９の左右両側面には、両カバーロック部６６よりも後方に、前後方向に延びて後端に開口するレール溝状のスライド受部６７が対をなして設けられている。図５に示すように、スライド受部６７は、断面略Ｔ字形状のアリ溝構造になっている。
【００３５】
カバー部材１２は合成樹脂製であって、ストレインリリーフ部材１１の上面にスライドして装着可能とされている。図１１及び図１２に示すように、カバー部材１２は、断面門型をなし、左右方向に沿った平板状の覆い部６８と、覆い部６８の左右両側から下向きに突出する一対の側部６９とを有している。
【００３６】
覆い部６８の左右中央部には、平面視略矩形状の切欠凹部７１が前端に開口して設けられている。覆い部６８の下面には、切欠凹部７１の直後方に、左右一対の押圧部７２が突出して設けられている。押圧部７２は、前後方向に延出して切欠凹部７１の奥端及び覆い部６８の後端に臨むリブ状をなし、下面に前後方向に沿った押圧面７３を有している。図２に示すように、押圧面７３は、支持面６３と対向する位置に配置され、支持面６３との間に電線１４を緊密に挟み込むようになっている。また、押圧部７２の前面は、上下方向に沿って配置され、切欠凹部７１の奥端に段差なく連続している。
【００３７】
図１１に示すように、両側部６９の前部には、左右一対のカバーロック受部７４が開口して設けられている。カバーロック受部７４は、断面略矩形状をなし、図３に示すように、カバーロック部６６に嵌合可能とされている。
【００３８】
両側部６９の内面には、カバーロック部６６よりも後方に、左右一対のスライド部７５が押圧部７２側に突出して設けられている。スライド部７５は、押圧部７２と略平行して前後方向に延出するリブ状をなし、図５に示すように、スライド受部６７と適合する断面略Ｔ字形状のアリ構造になっている。
【００３９】
次に、本実施例１のコネクタの作用効果を説明する。  
組み付けに際し、ハウジング１０のキャビティ１９に後方から端子金具１３が挿入される。端子金具１３がキャビティ１９に正規挿入されてランス２１に係止されると、ゴム栓３１がキャビティ１９の内周面に密着するとともに、電線引出面４３から後方へ電線１４が引き出される。続いて、ハウジング１０にストレインリリーフ部材１１が装着される。ストレインリリーフ部材１１は、両支持面６３（詳細には支持溝５６の底面）に電線１４を沿わせつつ後方から電線引出面４３に向けて前進させられ、突片部５１が受面部４６に沿って当接可能に配置されるとともに、両突部５８が対応する受部４５に適合して挿入され、且つ、基部４８の撓み動作を伴ったあと被ロック部５５がロック部４７に弾性的に係止されることにより、ハウジング１０に移動規制状態に保持される。
【００４０】
ストレインリリーフ部材１１がハウジング１０に正規装着されると、両タワー部５７が対応するキャビティ１９の略下半部に進入し、電線１４の引き出し部分が電線押さえ部６１により押し上げられてキャビティ１９の上壁面（対向壁面）に当接可能に配置される（図２を参照）。
【００４１】
また、突片部５１の両詰め部５３が受面部４６に緊密に押し当てられるとともに、突部５８の両押当部６５が繋ぎ部４４の上面に緊密に押し当てられることにより、ストレインリリーフ部材１１がハウジング１０に対してガタ付くことなく保持される。
【００４２】
次いで、ストレインリリーフ部材１１にカバー部材１２が装着される。カバー部材１２の装着過程では、ストレインリリーフ部材１１の両支持溝５６にカバー部材１２の両押圧部７２が進入し、その状態で、ストレインリリーフ部材１１のスライド受部６７にカバー部材１２のスライド部７５が摺動してカバー部材１２のスライド動作が案内される（図５を参照）。カバー部材１２の正規装着時には、両側部６９の撓み動作を伴ったあと両カバーロック部６６に両カバーロック受部７４が弾性的に係止され、カバー部材１２がストレインリリーフ部材１１に抜け止め状態に保持される。このとき、スライド受部６７の溝面にスライド部７５が前後方向に沿って当接することにより、カバー部材１２がストレインリリーフ部材１１に対して上方に離脱するのが確実に規制される。またこのとき、切欠凹部７１の内側にはハウジング１０の両突起４１が進入し、切欠凹部７１の両側縁に両突起４１が当接可能に配置される。
【００４３】
カバー部材１２がストレインリリーフ部材１１に正規装着されると、カバー部材１２の押圧部７２の先端部が電線１４の引き出し部分に緊密に当接し、押圧部７２の押圧面７３と電線押さえ部６１の後面との間に、電線１４の引き出し部分が斜め姿勢で挟持される。かくして、電線１４の引き出し部分は、押圧部７２の押圧面７３と電線押さえ部６１の後面との間及び電線押さえ部６１の頂部６２とキャビティ１９の上壁面との間に強固に挟持され、電線押さえ部６１に沿って略山型に屈曲された状態になる（図２を参照）。また、電線１４の引き出し部分は、押圧部７２の押圧面７３と支持溝５６の底面との間でも挟持される。その後、両ハウジングが嵌合され、端子金具１３が弾性接続部２４を介して図示しない相手端子金具に電気的に接続されることになる。
【００４４】
ところで、エンジンの駆動等に起因し、後方に延出する電線１４がハウジング１０とともに振動し、振動力が端子金具１３にも伝わる懸念がある。しかるに本実施例１の場合、電線１４の引き出し部分がストレインリリーフ部材１１の支持面６３とカバー部材１２の押圧面７３との間に挟持されているため、電線１４の振動の影響が端子金具１３及びゴム栓３１に伝わるのが防止される。その結果、端子金具１３と相手端子金具との接続状態が良好に維持され、且つゴム栓３１のシール性能も適正に発揮される。
【００４５】
また、図４に示すように、両突部５８が両受部４５に適合して挿入され、両突部５８が左右両側の側壁３７に対して上下方向及び前後方向に沿って当接可能に配置されるとともに、両突部５８の下面が両繋ぎ部４４の上面に左右方向及び前後方向に沿って当接可能に配置されることにより、ストレインリリーフ部材１１がハウジング１０に対して前後方向と交差する方向に変位するのが確実に規制される。このため、電線１４が激しく振動等しても、ストレインリリーフ部材１１がハウジング１０から外れてしまう事態を回避することができる。その結果、ストレインリリーフ部材１１による電線１４の振動抑制機能が適正に発揮され、接続信頼性を確保することができる。
【００４６】
さらに、スライド部７５がスライド受部６７に対して前後方向に沿って当接することにより、ストレインリリーフ部材１１とカバー部材１２との一体性が高められ、ストレインリリーフ部材１１の支持面６３とカバー部材１２の押圧面７３との間に電線１４がより信頼性良く保持される。
【００４７】
さらにまた、ストレインリリーフ部材１１がキャビティ１９の内側に進入するタワー部５７を有し、タワー部５７に、キャビティ１９の上壁面（対向壁面）に向けて突出する電線押さえ部６１が設けられ、電線押さえ部６１とキャビティ１９の上壁面との間に電線１４が屈曲状態に保持されるため、電線１４の振動が端子金具１３に近い位置で信頼性良く抑制される。しかも、電線押さえ部６１とカバー部材１２の先端部との間においても電線１４が挟持されるため、比較的簡単な構造で信頼性良く電線１４が屈曲保持される状態を実現することができる。
【００４８】
＜実施例２＞
図１３及び図１４は、本発明の実施例２を示す。実施例２は、両筒状部３９の外周略下半部における受面部４６と後述する延長部７６との間にも、受部（以下、受部４５と区別するため、第２の受部４５Ａと称する。）が設けられており、この点で実施例１とは異なる。もっとも、両筒状部３９の外周略上半部、繋ぎ部４４及び側壁３７との間に受部４５が設けられている点は実施例１と同様であり、その他の構造も実施例１とほぼ同様である。
【００４９】
嵌合筒部１６の下部には、連結部１７に連なる部位よりも後方に突出する延長部７６が設けられている。延長部７６は、受面部４６と略平行な断面湾曲状をなし、嵌合筒部１６の下部における連結部１７よりも前方の部分よりも厚肉に形成されている。
【００５０】
延長部７６と受面部４６とで区画される第２の受部４５Ａは、断面湾曲状をなし、突片部５１の前部の板厚とほぼ同じ開口幅で構成される。また、第２の受部４５Ａは、電線引出面４３側となるハウジング１０の後面側に開口し、前後方向に延びて奥端が連結部１７で閉塞されている。
【００５１】
ストレインリリーフ部材１１がハウジング１０に装着されると、受部４５に突部５８が挿入されるのに加え、第２の受部４５Ａに突片部５１の前部が適合して嵌合挿入される。このとき、突片部５１は第２の受部４５Ａに対して相互の湾曲形状に沿うように弧状に当接し得るため、電線１４が振動等しても、突片部５１が第２の受部４５Ａに対して位置ずれするのを信頼性良く防止することができる。よって、実施例２の突片部５１は、本発明の突部として機能する。
【００５２】
実施例２によれば、受部４５及び第２の受部４５Ａにそれぞれ突部５８及び突片部５１が適合して挿入されるため、高振動環境下でストレインリリーフ部材１１がハウジング１０から外れるのをより確実に防止することができる。
【００５３】
＜実施例３＞
図１５〜図１９は、本発明の実施例３を示す。実施例３は、ハウジング１０、カバー部材１２、ストレインリリーフ部材１１及びゴム栓３１がそれぞれ実施例１、２のものと少し異なっている。なお、以下の説明において、実施例１と機能的又は構造的に同一又は近似する部位には実施例１と同一名称及び同一符号を付すことにする。この点は、後述する実施例４及び実施例５についても同様である。
【００５４】
図１５に示すように、ハウジング１０の嵌合筒部１６は、前方に大きく突出しており、前端が端子収容部１５の前端とほぼ同じ位置に揃うように配置されている。このため、実施例１と異なり、フロントリテーナ３２は、周囲を嵌合筒部１６で覆われることになる。
【００５５】
図１６に示すように、端子収容部１５の後面には、１つのゴム栓収容部７７が開口して設けられている。各キャビティ１９は、ゴム栓収容部７７の奥面に開口している。
【００５６】
ゴム栓３１は、一括型のゴム栓であって、各電線１４が液密に挿入される複数のシール孔７８を有している。ゴム栓３１は、ゴム栓収容部７７に後方から挿入されてゴム栓収容部７７の内周面に弾性的に密着する。なお、実施例１と異なり、ゴム栓３１は端子金具１３に保持されていない。
【００５７】
ストレインリリーフ部材１１は、カバー部材１２とヒンジ部７９を介して一体に連結されている。図１８に示すように、ストレインリリーフ部材１１は、上面にヒンジ部７９及び左右一対の支持溝５６を有するブロック状の本体部４９と、本体部４９の前面の左右中央部から前方に突出するタワー部５７と、本体部４９の前面の左右両側から前方に突出する一対のロック片部８１と、本体部４９の前面の下部から突出し、タワー部５７の下方に配置される板片状の突片部５１とを有している。図１６に示すように、突片部５１は、実施例２と同様、ハウジング１０に設けられた第２の受部４５Ａに嵌合挿入され、ストレインリリーフ部材１１がハウジング１０に対して変位するのを規制する役割をはたす。
【００５８】
図１８に示すように、両ロック片部８１は、前部にロック孔８２を有している。両ロック片部８１のロック孔８２に、嵌合筒部１６の両側面に設けられたロック部４７が弾性的に嵌合されることにより、ストレインリリーフ部材１１がハウジング１０に保持されるようになっている。また、両ロック片部８１の内面には、断面略Ｔ字形状（アリ形状）の突部５８が設けられている。突部５８が嵌合筒部１６の両側面に凹設された同じく断面略Ｔ字形状（アリ溝形状）の受部４５に嵌合挿入されることで、ストレインリリーフ部材１１がハウジング１０に対して上下方向及び左右方向に変位するのが規制される。
【００５９】
タワー部５７には、電線１４が挿通される電線挿通孔８３が左右に対をなして設けられている。両電線挿通孔８３は、タワー部５７を前後方向に貫通し、本体部４９の両支持溝５６に連通している。タワー部５７は、ゴム栓収容部７７に適合して挿入される。タワー部５７の前面は、上下方向に沿った対向面５９とされ、ゴム栓収容部７７内でゴム栓３１の後面に近接又は当接して配置される。ゴム栓３１は、タワー部５７の対向面５９に当接することで、ゴム栓収容部７７から後方へ抜け出るのが防止される。本実施例３の場合、ゴム栓３１の抜け出しを規制する部材が専用の部材ではなくストレインリリーフ部材１１に兼備されているため、構成の簡素化を図ることが可能となっている。
【００６０】
図１７に示すように、両支持溝５６は、間に突出寸法が極短い仕切りを有し、底面となる支持面６３に、電線１４が支持可能とされている。ヒンジ部７９は、可撓帯状をなし、本体部４９の左右一側に前後方向に沿って連結されている。本体部４９の左右他側には爪状のカバーロック部６６が突設されている。
【００６１】
カバー部材１２は、ヒンジ部７９から左右他側へ突出する平板状をなし、本体部４９を左右方向に横切るように配置され、ヒンジ部７９とは反対側の端部（自由端部）に、矩形枠状のカバーロック受部７４を有している。図１８から図１９にかけて示すように、カバー部材１２は、本体部４９に対し、ヒンジ部７９を中心として左右他側に開いた状態から閉じた状態へと回動可能（傾動可能）とされている。
【００６２】
カバー部材１２の内面には、押圧部７２が突設されている。押圧部７２は、前後方向に延出するリブ状をなし、閉状態で下方を向く押圧面７３を有している。  
【００６３】
カバー部材１２が開状態にあるときに、電線１４が支持溝５６に沿って配置される。その状態で、カバー部材１２がヒンジ部７９を中心として回動させられ、閉状態となるのに伴い、押圧面７３が電線１４の外周上部に沿って当接し、押圧面７３と支持面６３との間に電線１４が緊密に挟持される。これにより、電線１４の遊動が抑えられ、電線１４の振動の影響が端子金具１３及びゴム栓３１に伝わるのを防止することが可能となっている。
【００６４】
＜実施例４＞
図２０〜図２２は、本発明の実施例４を示す。実施例４は、実施例３と同様、カバー部材１２がストレインリリーフ部材１１に対してヒンジ部７９を介して開閉可能に一体に連結されている。もっとも、実施例４の場合、カバー部材１２の回動方向が実施例３とは異なっている。
【００６５】
ヒンジ部７９は本体部４９の前縁に沿って一体に連結され、カバー部材１２はヒンジ部７９から後方へ短く突出する平板状をなしている。図２１から図２２にかけて示すように、カバー部材１２は、本体部４９に対し、ヒンジ部７９を中心として後方に開いた状態から閉じた状態へと回動可能（傾動可能）とされている。カバー部材１２の左右両側には矩形枠状のカバーロック受部７４が対をなして設けられている。本体部４９の左右両側面には一対のカバーロック部６６が突設されている。両カバーロック受部７４が両カバーロック部６６に弾性的に係止されることにより、カバー部材１２がストレインリリーフ部材１１に閉状態に確実に保持されるようになっている。また、カバー部材１２が閉状態となるのに伴い、実施例３と同様、カバー部材１２の押圧面７３と本体部４９の支持面６３との間に電線１４が遊動を規制された状態に保持される。実施例４の場合、カバーロック受部７４及びカバーロック６６を複数設けることができるため、ロック信頼性に優れる。
【００６６】
＜実施例５＞
図２３は、本発明の実施例５を示す。実施例５は、図示しないが、実施例２と同様、両筒状部３９の外周略下半部における受面部４６と嵌合筒部１６の延長部７６との間に、受部４５Ａが設けられている。また、実施例５の場合、実施例１と同様、カバー部材１２がストレインリリーフ部材１１にスライド装着されるが、支持面６３の前後寸法が実施例１の場合よりも短くされている。
【００６７】
ストレインリリーフ部材１１は、左右両側から前方に突出する一対のロック片部８１を有している。ハウジング１０の嵌合筒部１６の左右両側面には、爪状のカバーロック部６６が突設され、さらにカバーロック部６６を挟んだ上下両側に、前後方向に延出する一対ずつの位置決めリブ８４が突設されている。ロック片部８１がカバーロック部６６に弾性的に係止されると、ストレインリリーフ部材１１がハウジング１０に保持される。このとき、ロック片部８１は上下の位置決めリブ８４間に略位置決め状態で嵌り込み、上下方向への遊動を規制される。このため、ストレインリリーフ部材１１がハウジング１０に対して傾く方向に変位するのを信頼性良く防止することができる。
【００６８】
＜他の実施例＞
実施例１〜実施例５のそれぞれの技術的特徴は、対応する実施例のみに限定されるわけではなく、許容される範囲で他の実施例に共用させることができる。例えば、実施例１及び実施例２において、カバー部材１２がストレインリリーフ部材１１にスライド装着される構造を廃止し、この構造を、実施例３及び実施例４の技術的特徴であるカバー部材１２がストレインリリーフ部材１１に対してヒンジ部７９を介して開閉可能となる構造に変更してもよい。
【００６９】
また、実施例１及び実施例２において、ゴム栓３１が一括型のゴム栓であってもよく、その場合に、カバー部材１２がストレインリリーフ部材１１にスライド装着されるとしても、実施例３及び実施例４と同様、ストレインリリーフ部材１１に、キャビティ１９内に進入する湾曲面状の電線押さえ部６１を設けないようにしてもよい。  
さらに、実施例１及び実施例２において、突部がアリ構造を含み、受部がアリ溝構造を含むものであってもよい。
【符号の説明】
【００７０】
１０…ハウジング
１１…ストレインリリーフ部材
１２…カバー部材
１３…端子金具
１４…電線
１５…端子収容部
１９…キャビティ
３１…ゴム栓
４３…電線引出面
４５、４５Ａ…受部
５１…突片部
５７…タワー部
５８…突部
５９…対向面
６１…電線押さえ部
６３…支持面
６７…スライド受部
７３…押圧面 
７５…スライド部
【図１】
2019008894.tif 000003
【図２】
2019008894.tif 000004
【図３】
2019008894.tif 000005
【図４】
2019008894.tif 000006
【図５】
2019008894.tif 000007
【図６】
2019008894.tif 000008
【図７】
2019008894.tif 000009
【図８】
2019008894.tif 000010
【図９】
2019008894.tif 000011
【図１０】
2019008894.tif 000012
【図１１】
2019008894.tif 000013
【図１２】
2019008894.tif 000014
【図１３】
2019008894.tif 000015
【図１４】
2019008894.tif 000016
【図１５】
2019008894.tif 000017
【図１６】
2019008894.tif 000018
【図１７】
2019008894.tif 000019
【図１８】
2019008894.tif 000020
【図１９】
2019008894.tif 000021
【図２０】
2019008894.tif 000022
【図２１】
2019008894.tif 000023
【図２２】
2019008894.tif 000024
【図２３】
2019008894.tif 000025